(57)【要約】      （修正有）【課題】汎用性の高い印鑑のサイズが得られない点を解消し、使用後はほとんどそのまま廃棄されていたワインボトル等のコルク栓をゴム印として利用できるようにし、資源の有効活用が図れるようにするゴム印を提供する。【解決手段】本コルク栓を利用したゴム印は、ワインボトル等のサイズがほぼ一定のボトルのコルク栓と、該コルク栓の先端に貼付する粘着面とを形成したゴム印部材とを備え、該ゴム印部材の粘着面上の剥離シートを剥がして前記ボトルのコルク栓に貼付することにより、ゴム印として利用できるようにしたことを特徴とする。【選択図】図２
0003160743.tif 000002
【実用新案登録請求の範囲】
【請求項１】
ワインボトル等のサイズがほぼ一定のボトルのコルク栓と、該コルク栓の先端に貼付する粘着面とを形成したゴム印部材とを備え、該ゴム印部材の粘着面上の剥離シートを剥がして前記ボトルのコルク栓に貼付することにより、ゴム印として利用できるようにしたことを特徴とするコルク栓を利用したゴム印。
【請求項２】
前記ゴム印部材を貼付したコルク栓は、ボトルの首に吊るす吊下げ孔を設けた包装袋に少なくともコルク栓に貼付可能なゴム印部材を収納することにより、前記包装袋を介して前記ボトルに着脱可能に取り付けられるようにしたことを特徴とする請求項１に記載のコルク栓を利用したゴム印。
【請求項３】
前記ゴム印部材を貼付したコルク栓は、前記包装袋にコルク栓に貼付可能な前記ゴム印部材とともに、別途ゴム印部材を貼付した予備のコルク栓をも収納したことを特徴とする請求項２に記載のコルク栓を利用したゴム印。
【考案の詳細な説明】
【技術分野】
【０００１】
本考案は、ワインボトル等のコルク栓を利用したゴム印に関するものである。
【背景技術】
【０００２】
従来、印鑑を兼ねた容器の蓋としては、実開平３−１０５４５３号公報（特許文献１参照）に記載されたような、容器の蓋の頭部に文字や記号を彫り、または接着した印鑑を兼ねた容器の蓋が知られている。
【０００３】
しかしながら、容器の蓋はそのサイズが蓋を取り付ける対象である容器のサイズに大きく依存しており、汎用性の高い印鑑のサイズとすることにはかなり無理があるという欠点があった。
一方、ワインボトル等のコルク栓はほとんどそのまま廃棄されており、その有効活用がなされていないのが実情である。
【先行技術文献】
【特許文献】
【０００４】
【特許文献１】実開平３−１０５４５３号公報
【考案の概要】
【考案が解決しようとする課題】
【０００５】
解決しようとする課題は、印鑑を兼ねた容器の蓋の問題点である汎用性の高い印鑑のサイズが得られない点を解消し、しかも使用後はほとんどそのまま廃棄されていたワインボトル等のコルク栓をゴム印として利用できるようにすることにより、資源の有効活用が図れるようにすることである。
【課題を解決するための手段】
【０００６】
本考案のコルク栓を利用したゴム印は、ワインボトル等のサイズがほぼ一定のボトルのコルク栓と、該コルク栓の先端に貼付する粘着面とを形成したゴム印部材とを備え、該ゴム印部材の粘着面上の剥離シートを剥がして前記ボトルのコルク栓に貼付することにより、ゴム印として利用できるようにしたことを特徴とするコルク栓を利用したゴム印。
【０００７】
本考案のコルク栓を利用したゴム印は、前記ゴム印部材を貼付したコルク栓として、前記ボトルの首に吊るす吊下げ孔を設けた包装袋に少なくともコルク栓に貼付可能なゴム印部材を収納することにより、前記包装袋を介して前記ボトルに着脱可能に取り付けられるようにしたことをも特徴とするものである。
【０００８】
本考案のコルク栓を利用したゴム印は、前記ゴム印部材を貼付したコルク栓として、前記包装袋に前記コルク栓に貼付可能なゴム印部材とともに、別途ゴム印部材を貼付した予備のコルク栓をも収納したことをも特徴とするものである。
【考案の効果】
【０００９】
本考案のコルク栓を利用したゴム印は、従来の印鑑を兼ねた容器の蓋の問題点である汎用性の高い印鑑のサイズが得られない点を解消し、しかも使用後はほとんどそのまま廃棄されていたワインボトル等のコルク栓をゴム印として利用できるようになり、貴重な資源の有効活用が図れるようになった。
【００１０】
また、加工の難しいワインボトル等のコルク栓にはほとんど無理な加工を施す必要がなく、なおかつゴム印部材とのなじみがよく、コルク栓を手で持つことにより非常に押しやすいゴム印として利用できるようになった。
【図面の簡単な説明】
【００１１】
【図１】本考案のコルク栓を利用したゴム印を取り付けるワインボトルを示した正面図である。
【図２】（ａ）は本考案のコルク栓を利用したゴム印の１実施例を示し、組み付け前の斜視図、（ｂ）は組み付け後の斜視図である。（実施例１）
【考案を実施するための形態】
【００１２】
コルク栓を利用したゴム印をワインボトル類に機能的に装着するという目的を、最小の部品点数で、コルク栓のもろさを損なわないようにして実現した。
【実施例】
【００１３】
図１は、本考案のコルク栓を利用したゴム印を取り付けるワインボトルを示すもので、図２は本考案のコルク栓を利用したゴム印の１実施例を示すものである。
【００１４】
図１に示すように、市販されているワインボトル１１はボトルのサイズにかかわらずその口径はほぼ一定であり、したがって、その口に取り付けられるコルク栓１２の外径もほぼ一定である。
したがって、コルク栓１２の下端を使えば大きい外径で使うことができ、またコルク栓１２の上端を使えば小さい外径で使うことができる。
【００１５】
図２（ａ）に示すように、本実施例においてはコルク栓１２とは切り離してゴム印部材１３が構成されている。このゴム印部材１３は一方の端面には印面１４が形成され、他方の端面には、前記コルク栓１２の先端に剥離シート１６を貼付した粘着シート１５が貼付されている。したがって図２（ｂ）のように、前記コルク栓１２の先端に剥離シート１６を剥がして粘着シート１５を貼付すれば、簡易迅速にゴム印部材１３をコルク栓１２に取り付けることができる。
前記ゴム印部材１３は図１に示すように、ワインボトル１１の首に吊るす吊下げ孔１８を設けた包装袋１７に収納しておけば、ワインボトル１１の首に包装袋１７を取り付けることにより、簡単にゴム印部材１３を前記ワインボトル１１に着脱可能に取り付けられるようになっている。
なお、前記包装袋１７には、予めゴム印部材１３を貼付した予備のコルク栓１２を収納しておくことにより、複数の種類のゴム印として利用することが可能である。
さらに、前記ゴム印部材１３の印面１４には、通例の氏名のみならず、特殊な字体や英字、数字、記号、またキャラクタや観光地の風景その他の種々の文字や図形等を表示しておけば、購入したワインに関する貴重な思い出となるグッズを提供することができるようになる。
【００１６】
前記各実施例のコルク栓を利用したゴム印の使用に際しては、コルク栓１２をワインボトル１１の口から取り外し、コルク栓１２の先端にゴム印部材１３を貼付して取り付ければ、印面１４をスタンプ台に押し当てた上で、所定の用紙類に適宜捺印することができるようになるのである。
【００１７】
もちろん、ゴム印部材１３として浸透印の素材を使用すれば、スタンプ台がなくてもくり返し捺印することができる。その場合には、印面１４をキャップ等を用いてみだりにスタンプ液が付着しないようにすることが望ましい。
【産業上の利用可能性】
【００１８】
ワインボトルやコルク栓にゴム印部材を粘着面等を介してコルク栓に装着することによりコルク栓を利用したゴム印が完成するので、このゴム印を用いて容易に捺印することができ、印面にキャップ等を取り付けることによって、長期の保管が不可欠な用途にも適用できる。
【符号の説明】
【００１９】
１１  ワインボトル
１２  コルク栓
１３  ゴム印部材
１４  印面
１５  粘着シート
１６  剥離シート
１７  包装袋
１８  吊下げ孔
２１  取付孔
２２  紐類
２３  印面
２４  凹所
２５  キャップ
【図１】
0003160743.tif 000003
【図２】
0003160743.tif 000004
【手続補正書】
【提出日】平成22年4月27日(2010.4.27)
【手続補正１】
【補正対象書類名】実用新案登録請求の範囲
【補正対象項目名】全文
【補正方法】変更
【補正の内容】
【実用新案登録請求の範囲】
【請求項１】
ワインボトルのサイズが一定のボトルのコルク栓と、該コルク栓の先端に貼付する粘着面とを形成したゴム印部材とを備え、該ゴム印部材の粘着面上の剥離シートを剥がして前記ボトルのコルク栓に貼付することにより、ゴム印として利用できるようにしたことを特徴とするコルク栓を利用したゴム印。
【請求項２】
前記ゴム印部材を貼付したコルク栓は、ボトルの首に吊るす吊下げ孔を設けた包装袋に少なくともコルク栓に貼付可能なゴム印部材を収納することにより、前記包装袋を介して前記ボトルに着脱可能に取り付けられるようにしたことを特徴とする請求項１に記載のコルク栓を利用したゴム印。
【請求項３】
前記ゴム印部材を貼付したコルク栓は、前記包装袋にコルク栓に貼付可能な前記ゴム印部材とともに、別途ゴム印部材を貼付した予備のコルク栓をも収納したことを特徴とする請求項２に記載のコルク栓を利用したゴム印。